(57)【要約】【課題】ユーザー権限のない者に操作対象機器が使用されるのを効果的に防止する。【解決手段】操作対象機器２００を操作するための制御装置１００であって、操作入力に応じて操作対象機器２００に対する操作内容を含む操作信号を生成する信号生成部１３０と、信号生成部１３０が生成した信号を操作対象機器２００に対して送信する送信部１７０と、操作入力が一定時間入力されなかった場合または所定のロック操作が行われた場合に、所定のロック解除操作以外の操作入力を受け付けないロック状態とし、ロック状態においてロック解除操作が行われた場合にロック状態を解除するロック状態制御部１４０と、を備える制御装置１００を提供する。【選択図】図２
2011120039.tif 000002
【特許請求の範囲】
【請求項１】
操作対象機器を操作するための制御装置であって、
前記制御装置に対する操作入力が入力される操作受付部と、
前記操作受付部に入力された前記操作入力に応じて前記操作対象機器に対する操作内容を含む操作信号を生成する信号生成部と、
前記信号生成部が生成した前記操作信号を前記操作対象機器に対して送信する送信部と、
前記操作入力が一定時間入力されなかった場合または所定のロック操作が行われた場合に、所定のロック解除操作以外の操作入力を受け付けないロック状態とし、前記ロック状態において前記ロック解除操作が行われた場合に前記ロック状態を解除するロック状態制御部と、
を備えることを特徴とする制御装置。
【請求項２】
前記信号生成部は、前記ロック状態が解除された状態で前記操作対象機器を起動させるべき旨の操作入力が入力された場合に、前記操作信号とともに、前記操作対象機器に対応して割り当てられた認証コードを含む認証信号を生成することを特徴とする請求項１に記載の制御装置。
【請求項３】
予め定められたロック解除コードを記憶する記憶部をさらに備え、
前記ロック状態制御部は、
前記ロック状態において、前記記憶部が記憶する前記ロック解除コードと一致するコードが前記操作受付部に入力されたことに応じて前記ロック状態を解除することを特徴とする請求項１または請求項２に記載の制御装置。
【請求項４】
操作対象機器と、前記操作対象機器を操作するための制御装置とにより構成される機器制御システムであって、
前記制御装置は、
前記制御装置に対する操作入力が入力される操作受付部と、
前記操作受付部に入力された前記操作入力に応じて、前記操作対象機器に対する操作内容を含む操作信号を生成する信号生成部と、
前記信号生成部が生成した前記操作信号を前記操作対象機器に対して送信する送信部と、
前記操作入力が一定時間入力されなかった場合または所定のロック操作が行われた場合に、所定のロック解除操作以外の操作入力を受け付けないロック状態とし、前記ロック状態において前記ロック解除操作が行われた場合に、前記ロック状態を解除するロック状態制御部と、
を備え、
前記操作対象機器は、
前記送信部からの信号を受信する受信部と、
受信した前記操作信号に含まれる操作内容に基づいて各部を制御する制御部と、
を備えることを特徴とする機器制御システム。
【請求項５】
前記信号生成部は、前記ロック状態が解除された状態で前記操作対象機器を起動させるべき旨の操作入力が入力された場合に、前記操作信号とともに、前記操作対象機器に対応して割り当てられた認証コードを含む認証信号を生成し、
前記制御部は、前記受信部が受信した前記操作信号が前記操作対象機器を起動させるべき旨の操作内容を含む場合に、前記認証信号の受信を条件として前記操作対象機器を起動させることを特徴とする請求項４に記載の機器制御システム。
【請求項６】
操作対象機器を操作するための制御装置のロック制御方法であって、
前記制御装置に対する操作入力が一定時間入力されなかった場合または所定のロック操作が行われた場合に、前記制御装置を所定のロック解除操作以外の操作入力を受け付けないロック状態とし、
前記ロック状態において所定のロック解除操作が行われた場合に、前記制御装置の前記ロック状態を解除することを特徴とするロック制御方法。
【発明の詳細な説明】
【技術分野】
【０００１】
本発明は、操作対象機器を操作するための制御装置、上記制御装置と操作対象である操作対象機器とで構成される機器制御システム、および、上記制御装置のロック制御方法に関する。
【背景技術】
【０００２】
会議室や教室に設置されたプロジェクターやテレビなどの機器の不正使用を防止する方法として、例えば特許文献１に記載のように、起動時に機器に対して直接パスワードを入力する方法が知られている。この方法では、例えばプロジェクターの電源投入時にプロジェクターに対してパスワード入力などの認証処理を行った場合のみランプ部が起動して投射が開始されるので、使用権限のない者にプロジェクターが使用されるのを防ぐというものである。
【先行技術文献】
【特許文献】
【０００３】
【特許文献１】特開２００５−３３８６０４号公報
【発明の概要】
【発明が解決しようとする課題】
【０００４】
しかしながら、使用時に機器に直接パスワードを入力させるような管理方法では、パスワードの入力時に他人にパスワードを見られ易く、結果として、パスワードが実質的に周知となって、権限のない者に使用されてしまうことがあった。
【課題を解決するための手段】
【０００５】
上記課題を解決することを目的として、本発明は、一の形態として、操作対象機器を操作するための制御装置であって、前記制御装置に対する操作入力が入力される操作受付部と、前記操作受付部に入力された前記操作入力に応じて前記操作対象機器に対する操作内容を含む操作信号を生成する信号生成部と、前記信号生成部が生成した前記操作信号を前記操作対象機器に対して送信する送信部と、前記操作入力が一定時間入力されなかった場合または所定のロック操作が行われた場合に、所定のロック解除操作以外の操作入力を受け付けないロック状態とし、前記ロック状態において前記ロック解除操作が行われた場合に前記ロック状態を解除するロック状態制御部と、を備えることを特徴とする制御装置を提供する。
【０００６】
このような制御装置によれば、ロック操作や一定時間経過後にロックされるようにタイマーをセットすることによって操作対象機器を使用できるユーザー権限を容易に限定できる。また、操作対象機器に対して直接パスワードなどを入力せずに当該機器を起動および操作することができるので、制御装置にパスワードを入力してロック解除操作を行う場合でも、制御装置を人目に付きにくい場所に設置したり、あるいはリモートコントローラーのような携行型の端末とすることで、当該パスワードの入力操作を他人に見られにくくすることができる。したがって、ユーザー権限のない者に操作対象機器が使用されるのをより効果的に防止できる。
【０００７】
また、上記制御装置において、前記信号生成部は、前記ロック状態が解除された状態で前記操作対象機器を起動させるべき旨の操作入力が入力された場合に、前記操作信号とともに、前記操作対象機器に対応して割り当てられた認証コードを含む認証信号を生成することが好ましい。
【０００８】
これにより、操作対象機器を操作可能な制御装置であることを当該操作対象機器に認識させることができる。
【０００９】
また、上記制御装置は、予め定められたロック解除コードを記憶する記憶部をさらに備え、前記ロック状態制御部は、前記ロック状態において、前記記憶部が記憶する前記ロック解除コードと一致するコードが前記操作受付部に入力されたことに応じて前記ロック状態を解除することが好ましい。
【００１０】
これにより、ロック解除コードによって操作対象機器を使用できるユーザー権限を容易に制限することができる。
【００１１】
また、本発明は、他の形態として、操作対象機器と、前記操作対象機器を操作するための制御装置とにより構成される機器制御システムであって、前記制御装置は、前記制御装置に対する操作入力が入力される操作受付部と、前記操作受付部に入力された前記操作入力に応じて、前記操作対象機器に対する操作内容を含む操作信号を生成する信号生成部と、前記信号生成部が生成した前記操作信号を前記操作対象機器に対して送信する送信部と、前記操作入力が一定時間入力されなかった場合または所定のロック操作が行われた場合に、所定のロック解除操作以外の操作入力を受け付けないロック状態とし、前記ロック状態において前記ロック解除操作が行われた場合に、前記ロック状態を解除するロック状態制御部と、を備え、前記操作対象機器は、前記送信部からの信号を受信する受信部と、受信した前記操作信号に含まれる操作内容に基づいて各部を制御する制御部と、を備えることを特徴とする機器制御システムを提供する。
【００１２】
このようなシステムによれば、制御装置に対するロック操作やロックタイマーのセットによって操作対象機器を使用できるユーザー権限を容易に限定できる。また、操作対象機器に対して直接パスワードなどを入力せずに当該機器を起動および操作することができるので、制御装置にパスワードを入力してロック解除操作を行う場合でも、制御装置を人目に付きにくい場所に設置したり、あるいはリモートコントローラーのような携行型の端末とすることで、当該パスワードの入力操作を他人に見られにくくすることができる。したがって、ユーザー権限のない者に操作対象機器が使用されるのをより効果的に防止できる。
【００１３】
また、上記機器制御システムにおいて、前記信号生成部は、前記ロック状態が解除された状態で前記操作対象機器を起動させるべき旨の操作入力が入力された場合に、前記操作信号とともに、前記操作対象機器に対応して割り当てられた認証コードを含む認証信号を生成し、前記制御部は、前記受信部が受信した前記操作信号が前記操作対象機器を起動させるべき旨の操作内容を含む場合に、前記認証信号の受信を条件として前記操作対象機器を起動させることが好ましい。
【００１４】
これにより、操作対象機器を操作可能な制御装置を限定することができるので、ユーザー権限のない者に操作対象機器が使用されるのをより効果的に防止できる。
【００１５】
また、本発明は、さらに他の形態として、操作対象機器を操作するための制御装置のロック制御方法であって、前記制御装置に対する操作入力が一定時間入力されなかった場合または所定のロック操作が行われた場合に、前記制御装置を所定のロック解除操作以外の操作入力を受け付けないロック状態とし、前記ロック状態において所定のロック解除操作が行われた場合に、前記制御装置の前記ロック状態を解除することを特徴とするロック制御方法を提供する。
【００１６】
このような方法によれば、制御装置に対するロック操作やロックタイマーのセットによって操作対象機器を使用できるユーザー権限を容易に限定できる。また、操作対象機器に対して直接パスワードなどを入力せずに当該機器を起動および操作することができるので、制御装置にパスワードを入力してロック解除操作を行う場合でも、制御装置を人目に付きにくい場所に設置したり、あるいはリモートコントローラーのような携行型の端末とすることで、当該パスワードの入力操作を他人に見られにくくすることができる。したがって、ユーザー権限のない者に操作対象機器が使用されるのをより効果的に防止できる。
【図面の簡単な説明】
【００１７】
【図１】プロジェクター制御システム１０を構成するリモートコントローラー１００およびプロジェクター２００の概略図を示す。
【図２】リモートコントローラー１００およびプロジェクター２００の機能ブロック図を示す。
【図３】リモートコントローラー１００の動作フローの一例を示す。
【図４】リモートコントローラー１００からの信号受信時におけるプロジェクター２００の動作フローの一例を示す。
【発明を実施するための形態】
【００１８】
以下、添付図面に基づいて本発明の一実施形態について説明するが、以下の実施形態は特許請求の範囲にかかる発明を限定するものではなく、また、実施形態における特徴の組み合わせの全てが発明の解決手段に必須であるとは限らない。
【００１９】
図１は、本発明の実施形態に係るプロジェクター制御システム１０を構成するリモートコントローラー１００およびプロジェクター２００の概略図を示す。また、図２は、リモートコントローラー１００およびプロジェクター２００の機能ブロック図を示す。プロジェクター制御システム１０は、図１に示すように、プロジェクター２００と、プロジェクター２００を操作するためのリモートコントローラー（リモコン）１００とにより構成されている。ここで、プロジェクター制御システム１０は、本発明における機器制御システムの一例であり、また、リモートコントローラー１００およびプロジェクター２００は、それぞれ本発明における制御装置および操作対象機器の一例である。
【００２０】
本実施形態に係るプロジェクター制御システム１０は、ユーザーがリモートコントローラー１００に操作内容を入力してプロジェクター２００に対して当該操作内容を含む操作信号を送信することにより、プロジェクター２００を起動させて所望の画像を投射させることができるシステムである。リモートコントローラー１００は、例えばユーザーによって携行可能な大きさの無線通信端末であり、操作ボタン１１０、操作受付部１２０、信号生成部１３０、ロック状態制御部１４０、記憶部１５０、表示部１６０、および送信部１７０を有する。
【００２１】
操作ボタン１１０は、図１に示すように、電源ボタン１１１、メニューボタン１１２、エスケープボタン１１３、スクロールボタン１１４、および複数の文字／数字入力ボタン１１５を含む。ユーザーは、これらのボタン操作によって各種操作内容の入力を行うことができる。
【００２２】
操作受付部１２０は、ユーザーによる操作ボタン１１０を通じた操作入力が入力される。そして、操作受付部１２０は、上記操作入力を受け付けて、当該操作入力に基づく操作内容を信号生成部１３０、ロック状態制御部１４０、および表示部１６０へと送る。信号生成部１３０は、操作受付部１２０から送られた操作内容が、すでに起動中のプロジェクター２００に対する投射画像の調整など、プロジェクター２００の通常操作に関するものである場合に、その操作内容を含む操作信号を生成する。また、信号生成部１３０は、操作受付部１２０から送られた操作内容が、ユーザーによるプロジェクター２００の起動操作を示すものである場合は、プロジェクター２００を起動させるための操作信号とともに、プロジェクター２００に対応して割り当てられた認証コードを含む認証信号を生成する。
【００２３】
ロック状態制御部１４０は、ユーザーによる操作入力が一定時間行われなかった場合または所定のロック操作が行われた場合に、リモートコントローラー１００を、所定のロック解除操作以外の操作入力を受け付けないロック状態とする。より具体的には、例えばメニューボタン１１２を２秒間連続で押すことがロック操作として設定されている場合、ロック状態制御部１４０は、ユーザーがメニューボタン１１２を２秒間連続で押したことを条件として、ユーザーによるロック解除操作以外の操作入力の受け付けを操作受付部１２０に禁止させる。
【００２４】
また、ロック状態制御部１４０は、ユーザーが操作ボタン１１０を最後に操作してからの時間（操作受付部１２０から何らかの操作内容が送られてからの時間）をカウントするタイマー（ロックタイマー）を内蔵している。そして、ロック状態制御部１４０は、上記ロックタイマーによってカウントされる時間が予め設定された時間（例えば１分）に達した場合に、ユーザーによるロック解除操作以外の操作入力の受け付けを操作受付部１２０に禁止させる。
【００２５】
一方、ロック状態制御部１４０は、リモートコントローラー１００が上記ロック状態となっているときに、ロック解除操作が行われた場合、上記ロック状態を解除する。より具体的には、ユーザーが操作ボタン１１０を通じてロック解除コードを入力した場合、ロック状態制御部１４０には、操作受付部１２０を通じてユーザーが入力したロック解除コードが送られる。ここで、ロック状態制御部１４０は、後述する記憶部１５０が記憶するロック解除コードを読み出し、ユーザーにより入力されたロック解除コードが記憶部１５０に記憶されているロック解除コードと一致した場合にロック状態を解除する。これにより、操作受付部１２０は、ユーザーによる操作ボタン１１０を通じた操作入力の受け付けが可能な状態となる。
【００２６】
記憶部１５０は、例えば不揮発性メモリーなどで構成されており、予め定められたロック解除コードを記憶する。なお、記憶部１５０が記憶するロック解除コードは、リモートコントローラー１００の出荷時に記憶させたコードから変更できないようにしてもよいが、ユーザーによる所定の操作入力により変更可能としてもよい。表示部１６０は、例えば小型のＬＣＤなどの表示装置であり、ユーザーによる操作入力の内容、およびリモートコントローラー１００がロック状態か否かなどの情報を表示する。
【００２７】
送信部１７０は、例えば赤外線通信に対応した通信モジュールであり、信号生成部１３０で生成された信号をプロジェクター２００に送信する。より具体的には、送信部１７０は、ユーザーがプロジェクター２００の通常操作を行った場合は、操作信号とともに認証信号を送信する。また、送信部１７０は、ユーザーがプロジェクター２００の起動操作を行った場合は、操作信号のみを送信する。
【００２８】
プロジェクター２００は、ランプ２１０、光学部２１１、液晶パネル駆動部２１２、操作受付部２１３、電源部２１４、画像処理部２１５、記憶部２１６、制御部２１７、ランプ駆動部２１９、受信部２５０および表示部２６０を有する。本例のプロジェクター２００は、上記のリモートコントローラー１００からの操作信号により遠隔操作され、外部入力または内部に記憶される画像データに基づいて生成される投射画像をスクリーンなどの投射面に投射する。
【００２９】
ランプ２１０は、例えば、高圧水銀ランプや、メタルハライドランプ及びハロゲンランプなどの高輝度が得られる放電式ランプである。光学部２１１は、ランプ２１０が放射する白色光を輝度分布の安定した略平行光に変換するインテグレーター光学系と、輝度分布の安定した白色光を赤色、緑色、青色の光成分に分離して各色光用の液晶ライトバルブに供給する分離光学系と、液晶ライトバルブにて各色光毎に画像信号に応じて変調された各色光を、再度合成する合成光学系（いずれも図示せず）とを含む。
【００３０】
光学部２１１は、合成光学系から射出されるフルカラーで略平行な変調光を、内蔵する投射レンズで拡大した投射光を生成する。これにより、プロジェクター２００は、投射面にフルカラー映像を投射することができる。
【００３１】
液晶パネル駆動部２１２は、光学部２１１の液晶ライトバルブ（図示せず）に対して画像処理部２１５から入力する画像信号とともに駆動電圧などを供給し、液晶ライトバルブに投射画像を写し出す。
【００３２】
電源部２１４は、制御部２１７からの信号に基づいて、外部電源３００からの電力をプロジェクター２００の各部に供給する。より具体的には、電源部２１４は、外部電源３００からの交流電力を内蔵するＡＣ／ＤＣ変換部（図示せず）にて変圧し、さらに整流および平滑化して安定化させた直流電圧をプロジェクター２００の各部に供給する。
【００３３】
ランプ駆動部２１９は、ランプ２１０を点灯するために高電圧を発生して放電経路を形成するイグナイター回路（図示せず）と、点灯後の安定した点灯状態を維持するためのバラスト回路（図示せず）とを備えている。なお、以下において、ランプ２１０、光学部２１１、液晶パネル駆動部２１２、およびランプ駆動部２１９をまとめて示す際は「投射部２２０」と称する。
【００３４】
受信部２５０は、例えば、IEEE 802.11a、IEEE 802.11b、またはIEEE 802.11gの少なくとも何れかの無線ＬＡＮ規格に対応した無線ＬＡＮカード、ＲＦＩＤタグ、ＩｒＤＡ、Bluetooth（登録商標）などであり、リモートコントローラー１００の送信部１７０から送信される操作信号および認証信号を受信する。また、受信部２５０は、例えば、ＵＳＢ端子、ＤＶ端子などを備え、外部から入力される画像データを受け取る。
【００３５】
記憶部２１６は、プロジェクター２００に対応して割り当てられた認証コードを記憶する。また、記憶部２１６は、プロジェクター２００を起動させるときの起動ルーチンなど、プロジェクター２００の動作を制御するための様々なプログラムおよび付随するデータを記憶する。さらに、記憶部２１６は、投射動作時に外部から受信部２５０を介して供給される投射画像の画像データ（以下、「投射データ」と称する）を記憶してもよい。記憶部２１６は、例えばフラッシュメモリーなどデータの書き換えが可能な不揮発性のメモリーおよびハードディスクで構成されている。
【００３６】
画像処理部２１５は、受信部２５０を介して供給される外部入力の画像データに基づいて投射面に投射させるための画像信号を生成する。より具体的には、画像処理部２１５は、記憶部２１６に記憶されている投射データをフレーム単位で読み出して順次に画像信号に変換して投射部２２０へ出力する。
【００３７】
操作受付部２１３は、受信部２５０が受信した上記操作信号が示す操作内容に基づいて、制御部２１７へ各種動作のトリガとなる信号を送る。また、操作受付部２１３は、受信部２５０がプロジェクター２００を起動させるべき旨の操作内容を含む操作信号とともに上記認証信号を受信した場合、当該認証信号から認証コードを読み出して制御部２１７へ送る。
【００３８】
制御部２１７は、操作受付部２１７からの信号をトリガとしてバスラインＢｕｓを介して各部を制御する。また、制御部２１７は、操作受付部２１７からプロジェクター２００を起動させるべき旨の信号とともに認証コードを受け取った場合、記憶部２１６に記憶されている認証コードを読み出す。そして、操作受付部２１７からの認証コードと一致した場合のみ、外部電源３００からの電力をプロジェクター２００の各部に供給させる旨の信号を電源部２１４に送る。
【００３９】
表示部２６０は、例えば複数色に点灯するＬＥＤを有し、当該ＬＥＤの点灯色および点灯状態（連続点灯あるいは点滅）によってプロジェクター２００の現在の状態をユーザーに知らせる。例えば、表示部２６０は、上記認証コードの一致確認において認証コードが一致しなかった場合は例えば赤色に点滅し、認証コードが一致しなかったことをユーザーに知らせる。また、認証コードが一致した場合は、例えば緑色に点滅し、認証コードが一致したことをユーザーに知らせる。なお、表示部２６０は、プロジェクター２００の現在の状態をメッセージにより知らせるための液晶表示部をさらに有してもよい。
【００４０】
図３は、リモートコントローラー１００の動作フローの一例を示す。本フローでは、ユーザーが操作ボタン１１０を通じてリモートコントローラー１００に操作内容を入力すると（ステップＳ１１０：ＹＥＳ）、リモートコントローラー１００がロック状態でなければ（ステップＳ１１５：ＮＯ）、操作受付部１２０によって操作内容が受け付けられる。
【００４１】
そして、ユーザーによる操作内容がロック操作を示すものであった場合（ステップＳ１２０：ＹＥＳ）、リモートコントローラー１００はユーザーによるロック解除操作以外の操作入力を受け付けないロック状態となる（ステップＳ１６５）。
【００４２】
一方、ユーザーによる操作内容がプロジェクター２００の通常操作に関するものなどロック操作以外の操作を示すものであった場合（ステップＳ１２０：ＮＯ）、ロック状態制御部１４０は、ロックタイマーでカウントしている時間をゼロにリセットする（ステップＳ１２５）。そして、この場合、信号生成部１３０は、上記操作内容を含む操作信号を生成する（ステップＳ１３０）。また、ユーザーが電源ボタン１１１を押した場合、すなわち、上記操作内容がプロジェクター２００の起動操作を示すものである場合（ステップＳ１３５：ＹＥＳ）は、操作信号とともに、信号生成部１３０において、プロジェクター２００の認証コードを含む認証信号が生成される（ステップＳ１４０）。そして、生成された操作信号および認証信号は、送信部１７０によってプロジェクター２００へ送信される（ステップＳ１４５）。
【００４３】
一方、上記操作内容がプロジェクター２００の通常操作に関するものである場合、すなわち、プロジェクター２００の起動操作を示すものでなかった場合（ステップＳ１３５：ＮＯ）は、操作信号のみが送信部１７０によってプロジェクター２００へ送信される（ステップＳ１４５）。
【００４４】
また、上記ステップＳ１１０において、ユーザーによる入力（ボタン操作）がない場合（ステップＳ１１０：ＮＯ）、ロックタイマーのカウント時間を進める（ステップＳ１１１）。そして、ユーザーによるボタン操作が行われないままロックタイマーでカウントしている時間が予め設定された時間に達した場合（ステップＳ１１２：ＹＥＳ）、リモートコントローラー１００はロック状態となる（ステップＳ１６５）。なお、ロックタイマーでカウントしている時間が予め設定された時間に達するまでは（ステップＳ１１２：ＮＯ）、ユーザーによるボタン操作が行われるまでカウントを続ける。
【００４５】
また、上記ステップＳ１１５においてリモートコントローラー１００がロック状態であった場合（ステップＳ１１５：ＹＥＳ）、ユーザーによる操作がロック解除操作であれば（ステップＳ１５０：ＹＥＳ）、ロック状態が解除される（ステップＳ１５５）。一方、ユーザーによる操作がロック解除操作でなければ（ステップＳ１５０：ＮＯ）、その操作入力は受け付けられず、また、このとき、リモートコントローラー１００が現在ロック状態であることを示すメッセージが表示部１６０に表示される（ステップＳ１６０）。以上により、本動作フローは終了する。
【００４６】
図４は、リモートコントローラー１００からの信号を受信した際のプロジェクター２００の動作フローの一例を示す。本フローでは、まず、プロジェクター２００の受信部２５０でリモートコントローラー１００からの信号が受信される（ステップＳ２１０）。次に、受信した信号に認証信号が含まれていることが操作受付部２１３によって検出された場合（ステップＳ２１５：ＹＥＳ）、操作受付部２１３によって認証信号から認証コードが読み出してプロジェクター２００の起動信号（操作信号）とともに制御部２１７へ送る。
【００４７】
そして、制御部２１７において、認証信号から読み出された認証コードと記憶部２１６に記憶されている認証コードとが比較された結果、認証信号から読み出された認証コードと記憶部２１６に記憶されている認証コードとが一致した場合（ステップＳ２２０：ＹＥＳ）、プロジェクター２００が起動して、投射が開始される（ステップＳ２２５）。
【００４８】
一方、認証信号から読み出された認証コードと記憶部２１６に記憶されている認証コードとが一致しなかった場合（ステップＳ２２０：ＮＯ）は、表示部２６０に認証コードが一致しなかった旨の表示がなされる（ステップＳ２３５）。
【００４９】
また、上記ステップＳ２１５において受信した信号が操作信号のみであった場合（ステップＳ２１５：ＮＯ）、操作信号に含まれる操作内容が操作受付部２１３によって受け付けられ（ステップＳ２３０）、当該操作内容に基づいてプロジェクター２００が動作する。以上により、本動作フローは終了する。
【００５０】
以上のように、リモートコントローラー１００およびプロジェクター２００を備える本実施形態に係るプロジェクター制御システム１０によれば、リモートコントローラー１００をロック操作によりロックしたりロックタイマーをセットすることによってプロジェクター２００を使用できるユーザー権限を容易に限定できる。また、リモートコントローラー１００によるユーザーの手許操作でプロジェクター２００を起動および操作することができるので、パスワード入力によるロック解除操作を行う場合でも、当該パスワードが他人に見られにくい。したがって、ユーザー権限のない者にパスワードが知られてプロジェクター２００が使用されるのを防ぐことができる。
【００５１】
また、リモートコントローラー１００によるプロジェクター２００の起動操作時にリモートコントローラー１００から操作信号とともにプロジェクター２００固有の認証信号が送信されるので、プロジェクター２００側で当該認証信号の受信を起動のトリガとすることで、プロジェクター２００を操作可能なリモートコントローラーを例えばリモートコントローラー１００に限定することができる。したがって、ユーザー権限のない者が他のリモートコントローラーでプロジェクター２００を起動して使用するのを防ぐことができる。
【００５２】
（変形例）
上述した実施形態では、光源からの光を光変調部である液晶ライトバルブによって変調し投射する液晶３板式プロジェクターを例示したが、本発明はその他の方式を採用するプロジェクターにも適用することもできる。具体的には、ＤＭＤ（Digital Micromirror Device）を用いた投射方式、所謂、ＤＬＰ（Digital Light Processing）（登録商標）方式である。すなわち、ＤＬＰ方式は白色に光るランプの光をレンズで集光してＤＭＤに当て、ＤＭＤの個々のミラーがオン状態に傾いているときの光を他のレンズで拡大し、スクリーンに投射する方式であり、本発明はこのような方式のプロジェクターにも適用することができる。
【００５３】
また、上述した実施形態では、光源として放電式ランプを用いて投射するプロジェクターを例示したが、本発明は光源としてＬＥＤ光源やレーザー光源などを用いて投射するプロジェクターにも適用することができる。
【００５４】
以上、本発明を実施の形態を用いて説明したが、本発明の技術的範囲は上記実施の形態に記載の範囲には限定されない。上記実施の形態に、多様な変更または改良を加えることができることは当業者に明らかである。
【符号の説明】
【００５５】
１０…プロジェクター制御システム、１００…リモートコントローラー、１１０…操作ボタン、１２０…操作受付部、１３０…信号生成部、１４０…ロック状態制御部、１５０…記憶部、１６０…表示部、１７０…送信部、２００…プロジェクター、２１０…ランプ、２１１…光学部、２１２…液晶パネル駆動部、２１３…操作受付部、２１４…電源部、２１５…画像処理部、２１６…記憶部、２１７…制御部、２１９…ランプ駆動部、２２０…投射部、２５０…受信部、２６０…表示部、３００…外部電源
【図１】
2011120039.tif 000003
【図２】
2011120039.tif 000004
【図３】
2011120039.tif 000005
【図４】
2011120039.tif 000006